(57)【要約】【課題】電子写真印刷方式の画像形成装置において、除電部周りの作像のための各種ユニットを除電ランプやその取り付けブラケットに近接させることが可能な構成を提供する。【解決手段】少なくとも像担持体である感光体２１とクリーニング部であるクリーニングモジュール５０と除電部である除電ランプ２６を一体で画像形成装置本体２００から引き出せる機構としてＰＣＵフレーム１００を有する。そして除電ランプ２６は、感光体２１やクリーニングモジュール５０の交換時に引き出したＰＣＵフレーム１００に残ることを可能とし、感光体２１、クリーニングモジュール５０、除電ランプ２６をそれぞれ独立して交換可能とする。またＰＣＵフレーム１００は現像器４も一体で引き出し、かつ除電ランプ２６への給電は現像器４のドロアコネクタに接続することでなされるように配線する。【選択図】図２
2011102957.tif 000002
【特許請求の範囲】
【請求項１】
像担持体と、該像担持体表面にトナー像を形成する現像器と、前記像担持体に形成された前記トナー像を用紙等の転写材に転写する転写部と、光照射により前記像担持体表面の静電潜像を除電する除電部と、前記トナー像の転写後に前記像担持体表面に残留する残留トナーをクリーニングするクリーニング部を画像形成装置本体に有する画像形成装置において、
少なくとも前記像担持体と前記クリーニング部と前記除電部を一体で前記画像形成装置本体から引き出し可能とする引き出し機構を有することを特徴とする画像形成装置。
【請求項２】
請求項１の画像形成装置において、
前記除電部が前記像担持体や前記クリーニング部の交換時に前記引き出し機構に残るようにしてなることを特徴とする画像形成装置。
【請求項３】
請求項１または２の画像形成装置において、
前記除電部への給電を前記現像器に設けたドロアコネクタにより行う配線を備えるとともに、
前記引き出し機構を前記現像器と一体で前記画像形成装置本体から引き出し可能として
なり、
前記引き出し機構とともに前記現像器を前記画像形成装置本体へ挿入することにより前記ドロアコネクタの接続で前記除電部へ給電可能とすることを特徴とする画像形成装置。
【請求項４】
請求項１から３のいずれかの画像形成装置において、
前記除電部が前記像担持体や前記クリーニング部に近接配置してあることを特徴とする画像形成装置。
【請求項５】
請求項１から４のいずれかの画像形成装置において、
前記引き出し機構が、前記像担持体や前記クリーニング部の交換方向に前記除電部が位置しないように該除電部を配置してなることを特徴とする画像形成装置。
【請求項６】
請求項１から５のいずれかの画像形成装置であって、電子写真印刷方式のファクシミリ、プリンター、複写機またはこれらの複合機であることを特徴とする画像形成装置。
【発明の詳細な説明】
【技術分野】
【０００１】
本発明はファクシミリ、プリンター、複写機、これらの複合機として適用される電子写真印刷方式の画像形成装置に関し、特に感光体、クリーニングユニットに近接した光除電装置を有する画像形成装置に関する。
【背景技術】
【０００２】
電子写真印刷方式の画像形成装置は、像担持体である感光体の周囲に帯電、露光、現像、転写、除電、クリーニング等の各手段を配して構成する。そして感光体表面をコロナ放電等により一様に帯電させ、印刷すべき文字等に対応した露光を行うことにより静電潜像を形成し、トナーで現像する。その後、トナー像上に中間転写ベルトの当接とバイアス印加により感光体上のトナーを中間転写ベルト上に転写する。さらに、中間転写ベルト上のトナーを用紙上に転写し、トナーを転写した用紙を加熱あるいは加熱加圧することによりトナー像を定着させて印刷を完了する。転写が済んだ感光体表面は、清掃、除電し、さらに同様の工程を繰り返す。
【０００３】
上記構成のような画像形成装置に関し、特許文献１では除電ランプ（イレーズランプ）を感光体やクリーニングユニットに近接した位置に配置する構成を開示している。除電ランプは画像形成装置本体と一体のブラケットに固定してある。すなわち除電ランプは通常メンテナンスがほぼ本体寿命まで不要である。このため特許文献１に開示されている様に、画像形成装置本体に一体で設置し、挿抜しない構成とすることが一般的である。
【０００４】
これに対して、除電ランプに近接している感光体、中間転写ベルト、クリーニングユニットは定期的なメンテナンスが必要とするため、画像形成装置本体から容易に着脱可能な構成にする必要がある。しかしながら除電ランプが近接して配置してあるため、挿抜の際に除電ランプやそれを固定している板金ブラケット等に接触してユニットを破損してしまうという懸念が生じる。そこでそのような破損を生じさせないことを考慮した設計を留意するだけでなく、容易にユニットが交換できるような設計とする配慮も必要である。特に近年は、省スペース化を図ることにより、各部品が画像形成装置本体内で非常に近接したレイアウトとなる設計が行われており、その一方で交換性については一般ユーザーが特に気をつけることなく交換可能な構成とするよう求められている。
【発明の概要】
【発明が解決しようとする課題】
【０００５】
そこで、本発明は上記の問題点にかんがみ、電子写真印刷方式の画像形成装置において、除電部周りの作像のための各種ユニットを除電ランプやその取り付けブラケットに近接させることが可能な構成を提供すること、一般ユーザーでも作像関連のユニットを容易に交換可能とする構成を提供することを目的とする。
【課題を解決するための手段】
【０００６】
本発明の画像形成装置のうち請求項１に係るものは、像担持体と、該像担持体表面にトナー像を形成する現像器と、前記像担持体に形成された前記トナー像を用紙等の転写材に転写する転写部と、光照射により前記像担持体表面の静電潜像を除電する除電部と、前記トナー像の転写後に前記像担持体表面に残留する残留トナーをクリーニングするクリーニング部を画像形成装置本体に有する画像形成装置において、少なくとも前記像担持体と前記クリーニング部と前記除電部を一体で前記画像形成装置本体から引き出し可能とする引き出し機構を有することを特徴とする。
【０００７】
請求項２に係るものは、請求項１の画像形成装置において、前記除電部が前記像担持体や前記クリーニング部の交換時に前記引き出し機構に残るようにしてなることを特徴とする。
【０００８】
請求項３に係るものは、請求項１または２の画像形成装置において、前記除電部への給電を前記現像器に設けたドロアコネクタにより行う配線を備えるとともに、前記引き出し機構を前記現像器と一体で前記画像形成装置本体から引き出し可能としてなり、前記引き出し機構とともに前記現像器を前記画像形成装置本体へ挿入することにより前記ドロアコネクタの接続で前記除電部へ給電可能とすることを特徴とする。
【０００９】
請求項４に係るものは、請求項１から３のいずれかの画像形成装置において、前記除電部が前記像担持体や前記クリーニング部に近接配置してあることを特徴とする。
【００１０】
請求項５に係るものは、請求項１から４のいずれかの画像形成装置において、前記引き出し機構が、前記像担持体や前記クリーニング部の交換方向に前記除電部が位置しないように該除電部を配置してなることを特徴とする。
【００１１】
請求項６に係るものは、請求項１から５のいずれかの画像形成装置であって、電子写真印刷方式のファクシミリ、プリンター、複写機またはこれらの複合機であることを特徴とする。
【発明の効果】
【００１２】
本発明の画像形成装置は、定期交換ユニットである像担持体やクリーニング部に近接して除電部（ランプ等）を配置することができ、かつ像担持体及びクリーニング部等の交換時に、除電部との干渉や破損が生じること防止可能となる。
【図面の簡単な説明】
【００１３】
【図１】本発明の実施対象となる画像形成装置の一例の概略構成図
【図２】図１の装置のＰＣＵフレームの構成を示す断面図
【図３】ＰＣＵフレームを画像形成装置本体から引き出した状態を示す図
【図４】ＰＣＵフレームを画像形成装置本体から引き出して交換作業位置までスライド移動させた状態を示す図
【図５】ドラムクリーニング部を取り出してＰＣＵフレームに除電ランプが残った状態を示す図
【図６】クリーニングモジュール、感光体を取り出した状態のＰＣＵフレームを示す斜視図
【図７】セット位置にセットされた状態のＰＣＵフレームを感光体軸方向に沿って切断したときの断面図
【図８】除電ランプへの画像形成装置本体からの電気供給経路について示す図
【発明を実施するための形態】
【００１４】
本発明に係る画像形成装置は、少なくとも像担持体とクリーニング部と除電部が一体で画像形成装置本体から引き出せる機構を有する構成とした。そして除電部は、像担持体やクリーニング部の交換時に引き出し機構に残り、それぞれが独立して交換可能とした。また引き出し機構は現像器も一体で引き出し、かつ除電部の電気供給は現像器のドロアコネクタに接続することでなされるように配線を行った。
【００１５】
すなわち、定期交換ユニットである感光体（像担持体）やクリーニングユニット（クリーニング部）に近接して除電ランプ（除電部）を配置することができるようにして、感光体及びクリーニングユニットの交換時の除電ランプへの干渉や破損を防止している。また、除電部が感光体やクリーニングユニットの交換時に引き出し機構に残ることで、寿命が長くて高価な除電ランプを交換せずに作像関係のユニットの交換を可能とした。
【００１６】
またフレーム引き出し機構は現像器も一体で引き出し、除電ランプへの給電は現像器のドロアコネクタに接続することでなされるようにハーネスの這いまわしを行って、除電ランプのために新たに給電接続部品を設ける必要をなくした。
【実施例】
【００１７】
以下本発明の実施例を図面を参照して説明する。
まず、本実施例に係る画像形成装置の構成及び動作について説明する。図１は、本発明の実施対象となる画像形成装置の一例の概略構成図である。この画像形成装置は、詳細な図示は省略するが、４つのプロセスカートリッジユニット（ＰＣＵ）フレーム１００Ｙ、１００Ｍ、１００１Ｃ、１００Ｋが並列に配置された画像形成部１を有している。
【００１８】
各ＰＣＵフレーム１００は、潜像担持体であるドラム状の感光体２１Ｙ、２１Ｍ、２１Ｃ、２１Ｋを備えた潜像担持体モジュールである感光体モジュール２０Ｙ、２０Ｍ、２０Ｃ、２０Ｋと、帯電装置を備えた帯電モジュール３０Ｙ、３０Ｍ、３０Ｃ、３０Ｋと、２成分現像方式の現像器４０Ｙ、４０Ｍ、４０Ｃ、４０Ｋと、ドラムクリーニング装置を備えたクリーニングモジュール５０Ｙ、５０Ｍ、５０Ｃ、５０Ｋとを共通のユニット枠体で支持したものである。これらのＰＣＵフレーム１００は、それぞれ個別に、画像形成装置本体に対して脱着可能な構成になっている。
【００１９】
画像形成部１の上方には、潜像形成手段としての露光ユニット９が設けられている。また、装置上部には、コンタクトガラス上に載置された原稿を走査して読み取る読取装置１０が設けられている。画像形成部１の下方には、被転写体である中間転写体としての中間転写ベルト１５を備えた転写ユニット２が設けられている。中間転写ベルト１５は、複数の支持ローラに掛け渡されており、図中時計回り方向に無端移動する。転写ユニット２の下方には二次転写装置４が設けられている。二次転写装置４は、二次転写ローラ１７を備えており、二次転写ローラ１７は、中間転写ベルト１５における転写対向ローラ１６に対する掛け回し箇所にベルトおもて面から当接して二次転写ニップを形成している。二次転写ローラ１７には図示しない電源によって二次転写バイアスが印加されている。また、転写対向ローラ１６は、電気的に接地されている。これにより、二次転写ニップ内に二次転写電界が形成される。二次転写装置４の図中左方には、用紙上に転写されたトナー像を定着するために、内部に発熱体を備えた加熱ローラを有する定着ユニット７が設けられている。また、二次転写装置４と定着ユニット７との間には、トナー像転写後の用紙を定着ユニット７へと搬送する搬送ベルト６が設けられている。また、装置下方には、図示しない給紙収容部から１枚ずつ分離して給送された用紙を二次転写装置４へ給紙する給紙ユニット３が設けられている。また、定着ユニット７を通過した用紙を機外または両面ユニット５へ搬送する排紙ユニット８が設けられている。
【００２０】
この画像形成装置でコピーをとるときは、読取装置１０により原稿を読み取る。この原稿読み取りに並行して、中間転写ベルト１５が図中時計回り方向に移動する。これと同時に、画像形成部１では、各帯電モジュール３０Ｙ、３０Ｍ、３０Ｃ、３０Ｋの帯電装置によって表面が一様に所定の帯電電位に帯電せしめられた各感光体２１Ｙ、２１Ｍ、２１Ｃ、２１Ｋ上に、読み取った原稿内容に基づきイエロー、マゼンタ、シアン、黒の色別情報を用いて露光ユニット９によりそれぞれ露光して潜像を形成する。次いで、各感光体２１Ｙ、２１Ｍ、２１Ｃ、２１Ｋ上の潜像を現像器４０Ｙ、４０Ｍ、４０Ｃ、４０Ｋにより現像し、単色のトナー像を形成する。そして、各感光体２１Ｙ、２１Ｍ、２１Ｃ、２１Ｋ上のトナー像を中間転写ベルト１５上に互いに重なり合うように順次転写して、中間転写ベルト１５上に合成トナー像を形成する。
【００２１】
トナー像転写後の各感光体２１Ｙ、２１Ｍ、２１Ｃ、２１Ｋは、クリーニングモジュール５０Ｙ、５０Ｍ、５０Ｃ、５０Ｋのドラムクリーニング装置で、感光体２１Ｙ、２１Ｍ、２１Ｃ、２１Ｋ上に残留する残留トナーを除去し、再度の画像形成に備える。
【００２２】
このようなトナー像形成に並行して、図示しない給紙収容部から１枚ずつ用紙を繰り出し、レジストローラ対１４に突き当てて止める。そして、中間転写ベルト１５上の合成トナー像が二次転写ニップに到達するタイミングを合わせてレジストローラ対１４を回転し、二次転写ニップに用紙を送り込み、二次転写装置４で転写して用紙上に合成トナー像を転写する。トナー像転写後の用紙は、搬送ベルト６で搬送して定着ユニット７へと送り込み、定着ユニット７で熱と圧力とを加えてトナー像を定着した後、排紙ユニット８へ送り込む。
【００２３】
排紙ユニット８では切換爪で切り換えて、機外（装置左側）の図示しない排紙トレイまたは下方の両面ユニット５へ案内する。両面ユニット５では、用紙を反転して再び二次転写ニップへと導き、裏面にも画像を記録した後、排紙ユニット８で排紙トレイ上に排出する。なお、画像転写後の中間転写ベルト１５は、中間転写ベルトクリーニングユニット９０で、中間転写ベルト１５上に残留する残留トナーを除去し、再度の画像形成に備える。
【００２４】
次に、４つＰＣＵフレーム００Ｙ、１００Ｍ、１００１Ｃ、１００Ｋについて詳しく説明する。なお、４つのＰＣＵフレーム００Ｙ、１００Ｍ、１００１Ｃ、１００Ｋは、それぞれ扱うトナーの色が異なる点以外はほぼ同様の構成になっているので、以下の説明では、色分け符号であるＹ、Ｍ、Ｃ、Ｋを省略して、１つのＰＣＵフレーム１００について説明する。
【００２５】
図２は、ＰＣＵフレーム１００の構成を示す断面図である。この例では、感光体２１は図中の矢印の方向に回転し、まず帯電モジュール３０によるコロナ放電により一様に帯電される。そして、図示せぬ書き込み装置からの露光で印刷すべき画像に対応したレーザー光Ｌを一様に帯電した感光体２１に照射し、これにより感光体２１上に静電潜像を形成する。この静電潜像を現像器４０によりトナーで現像する。そして、感光体２１上のトナー像を中間転写ベルト１５上に転写し、二次転写ニップにおいて用紙にトナー像を転写する。このような転写工程後、除電ランプ２６の光照射により感光体２１の表面に残留している静電電位を除去して電位をリセットし（静電潜像の除電）、さらに感光体２１の表面から、クリーニングユニットをなすクリーニングモジュール５０により残留トナーを除去する。
【００２６】
本実施例では、現像器４０とＰＣＵフレーム１００が一体に構成してあり、その一体のＰＣＵフレーム１００の一部であるステー２９に除電ランプ２６を固定してある。ＰＣＵフレーム１００には、感光体２１、クリーニングモジュール５０も設置してある。
【００２７】
除電ランプ２６及び除電ランプ２６を固定するステー２９は、省スペース化を図るための制約上、クリーニングモジュール５０及び中間転写ベルト１５に非常に近接した位置関係、例えば隙間０．５ｍｍ〜４ｍｍ、のような配置となっている。そしてＰＣＵフレーム１００は、該フレームに取り付けたレール３５によって画像形成装置本体（図では側板のようなもの（符号２００で示す）を画像形成装置本体として示している。以下、画像形成装置本２００と記載する。）から引き出せる。
【００２８】
ＰＣＵフレーム１００を画像形成装置本体２００から水平方向へ引き出した状態を図３に示す。画像形成装置本体２００から引き出されたＰＣＵフレーム１００から感光体２１、クリーニングモジュール５０をそれぞれ着脱することができるようになっている。
【００２９】
本実施例において、ＰＣＵフレーム１００を画像形成装置本体２００から水平方向へ引き出す際、作業者は、まず、画像形成装置本体２００の外壁を構成する図示しない開閉扉を開状態にする。この開閉扉は、ＰＣＵフレーム１００が画像形成装置本体２００の内部にセットされるセット位置から、そのＰＣＵフレーム１００に支持された感光体２１、クリーニングモジュール５０の交換作業が可能な交換作業位置まで、そのＰＣＵフレーム１００をスライド移動させる際に先頭側（以下、「前面側」という。）となる当該ＰＣＵフレーム１００の先頭端面（前面）と対向する位置に配置されている。
【００３０】
開閉扉を開いた作業者は、続いて、ＰＣＵフレーム１００を前面側に引き出す。これにより、図３に示すように、ＰＣＵフレーム１００を交換作業位置までスライド移動させることができる。本実施例においては、ＰＣＵフレーム１００を支持するユニット支持手段として、２つのレール３５が設けられている。２つのレール３５は、ＰＣＵフレーム１００のスライド方向両側部に取り付けられ、ＰＣＵフレーム１００が図４に示す交換作業位置までスライド移動した状態でも、ＰＣＵフレーム１００を落下させずに当該交換作業位置に保持する。したがって、本実施例によれば、ＰＣＵフレーム１００を交換作業位置に引き出した状態のまま、そのＰＣＵフレーム１００の感光体２１、クリーニングモジュール５０の交換作業を行うことができる。
【００３１】
本実施例においては、ＰＣＵフレーム１００をセット位置から交換作業位置までスライド移動するＰＣＵフレーム１００の進路を阻害する部材は開閉扉のみであり、この開閉扉は開状態になると当該進路から退避した箇所に位置する。したがって、作業者は、開閉扉を開いたら、その他の部材を当該進路から退避させる作業を行うことなく、ＰＣＵフレーム１００を引き出すことができる。
【００３２】
クリーニングモジュール５０を取り出してＰＣＵフレーム１００に除電ランプ２６が残った図を図５に示す。着脱の方向はいずれも除電ランプ２６から離れる方向である図中の矢印Ａの方向である。そのため、感光体２１及びクリーニングモジュール５０と除電ランプ２６が近接した関係で配置されているにもかかわらず、感光体２１等の交換の際に、それらが除電ランプ２６と干渉して破損させるおそれがない。
【００３３】
次に、ＰＣＵフレーム１００に搭載されている各種機器の位置決め構成について説明する。図６は、クリーニングモジュール５０、感光体２１を取り出した状態のＰＣＵフレーム１００を示す斜視図である。また図７は、セット位置にセットされた状態のＰＣＵフレーム１００を感光体軸方向に沿って切断したときの断面図である。
【００３４】
本実施例において、ＰＣＵフレーム１００に搭載されているクリーニングモジュール５０、感光体２１及びその他の装置（現像器４０等）は、ＰＣＵフレーム１００の共通のユニット枠体１０１によって一体的に支持されている。共通のユニット枠体１０１の前面側部分には、その前面側に金属製の前面板１０２が取り付けられ、これによりユニット枠体１０１の前面側部分についての強度及び位置決め精度を高めている。なお、共通のユニット枠体１０１の後面側部分については、ＰＣＵフレーム１００がセット位置にセットされた際に、ＰＣＵフレーム１００の後面側部分に設けられる各種駆動系の連結部と画像形成装置本体側の被連結部とが複数箇所で連結されることで、強度及び位置決め精度が高まるようになっている。
【００３５】
すなわちＰＣＵフレーム１００上のクリーニングモジュール５０、感光体２１は、ユニット枠体１０１に対して着脱可能であり、それぞれ共通のユニット枠体１０１に対して位置決めされる結果、共通のユニット枠体１０１を高い寸法精度で製造することで、ＰＣＵフレーム１００上の各種装置間における相対的な位置関係を高い精度で位置決めすることができる。
【００３６】
また、ＰＣＵフレーム１００のユニット枠体１０１は、ＰＣＵフレーム１００がセット位置にあるとき、画像形成装置本体２００側に設けられた感光体駆動軸２２１及びその軸受２２２によって画像形成装置本体２００に対して位置決めされる。具体的には、感光体モジュール２０の感光体２１には、画像形成装置本体２００側に設けられた感光体駆動軸２２１が挿入される挿入孔２２１ａが設けられている。この挿入孔２２１ａに対して感光体駆動軸２２１が完全に挿入されると、図６に示すように、感光体駆動軸２２１上の感光体駆動ジョイント２２３が感光体２１の挿入孔２２１ａの被ジョイント部２２１ｂと連結し、感光体２１は、感光体駆動軸２２１と一体的に回転できる状態になる。また、感光体駆動軸２２１が感光体２１の挿入孔２２１ａに完全に挿入されると、感光体駆動軸２２１の前面側端部がユニット枠体１０１の前面側部分に設けられる前面嵌合部１０１ａに嵌合するとともに、感光体駆動軸２２１上に設けられた軸受２２２がユニット枠体１０１の後面側部分に設けられる後面嵌合部１０１ｂに嵌合する。これにより、ＰＣＵフレーム１００のユニット枠体１０１は、画像形成装置本体側の感光体駆動軸２２１に対して、その前面側と後面側の２箇所で位置決めされる。すなわち本実施例における位置決め構成においては、ＰＣＵフレーム１００上の感光体２１は、画像形成装置本体２００側に設けられた感光体駆動軸２２１に対して直接的に位置決めされるので、画像形成装置本体２００に対して高い位置決め精度が得られる。
【００３７】
除電ランプ２６は、除電ランプホルダ２６ａによりＰＣＵフレーム１００に取り付けられているが、除電ランプホルダ２６ａは、除電ランプ２６の上方を覆うように設けられている。そのため、クリーニングモジュール５０及び感光体２１のＰＣＵフレーム１００への交換の際にクリーニングモジュール５０及び感光体２１に付着したトナーが落下した場合においても、その下方に位置する除電ランプ２６に直接トナーが付着することを抑制することができる。またこれら感光体２１等のユニットの交換の際、除電ランプ２６はＰＣＵフレーム１００に取り付いたままで残り、交換されるユニットと一体で交換されてしまう事がない。これは、そのような無駄な交換を行うことに起因するコストアップを引き起こさないようにすることを可能にしている。
【００３８】
除電ランプ２６への画像形成装置本体２００からの電気供給経路について図８を使って説明する。ＰＣＵフレーム１００と一体構成である現像器４０に給電用のドロアコネクタ１１２が設けてある。ドロアコネクタ１１２によってＰＣＵフレーム１００側に取り付けてある電装部品と画像形成装置本体２００に設けてある図示しない電源供給ユニット（パワーサプライユニット：ＰＳＵ）からの給電、および電気経路の切り離しを可能としている。また現像器４０に取り付けてある図示しないトナー濃度センサ（Ｔセンサ）などの電装部品への給電は、このドロアコネクタ１１２を介して行う。
【００３９】
本例では、ＰＣＵフレーム１００に設置した除電ランプ２６についても、このドロアコネクタ１１２へハーネス１１３を這いまわして（這いまわし部分を符号１１３ａを付した矢印付きの線で示す）接続し、画像形成装置本体２００からの給電を可能としている。このような構成にすることによって、新たに画像形成装置本体２００とＰＣＵフレーム１００との電気的接続、離間を達成させる部品を設ける必要がなく、簡素な構成で除電ランプ２６をＰＣＵフレーム１００に設置することを実現可能としている。
【符号の説明】
【００４０】
１：画像形成部
２：転写ユニット
３：給紙ユニット
４：二次転写装置
５：両面ユニット
６：搬送ベルト
７：定着ユニット
８：排紙ユニット
９：露光ユニット
１０：読取装置
１４：レジストローラ対
１５：中間転写ベルト
１６：転写対向ローラ
１７：二次転写ローラ
２０Ｙ、２０Ｍ、２０Ｃ、２０Ｋ：感光体モジュール
２１Ｙ、２１Ｍ、２１Ｃ、２１Ｋ：感光体
２６：除電ランプ
２６ａ：除電ランプホルダ
２９：ステー
３０Ｙ、３０Ｍ、３０Ｃ、３０Ｋ：帯電モジュール
３５：レール
４０Ｙ、４０Ｍ、４０Ｃ、４０Ｋ：現像器
５０Ｙ、５０Ｍ、５０Ｃ、５０Ｋ：クリーニングモジュール
９０：中間転写ベルトクリーニングユニット
１００Ｙ、１００Ｍ、１００１Ｃ、１００Ｋ：ＰＣＵフレーム
１０１：ＰＣＵフレームの共通のユニット枠体
１０１ａ：前面嵌合部
１０１ｂ：後面嵌合部
１０２：ユニット枠体の前面板
１１２：ドロアコネクタ
１１３：ハーネス
１１３ａ：ハーネスの這いまわし部分
２００：画像形成装置本体
２２１：感光体駆動軸
２２１ａ：挿入孔
２２１ｂ：被ジョイント部
２２２：軸受
２２３：感光体駆動ジョイント
【先行技術文献】
【特許文献】
【００４１】
【特許文献１】特許３２３４８３９号公報
【図１】
2011102957.tif 000003
【図２】
2011102957.tif 000004
【図３】
2011102957.tif 000005
【図４】
2011102957.tif 000006
【図５】
2011102957.tif 000007
【図６】
2011102957.tif 000008
【図７】
2011102957.tif 000009
【図８】
2011102957.tif 000010